(57)【特許請求の範囲】
【請求項１】
試料室の内部に配置され、荷電粒子ビームの照射対象となる試料が載置される試料ステージと、前記試料室に取り付けられ、前記試料室の壁面に形成された開口部から前記試料ステージに向け試料室外部から前記試料を移送する試料移送装置と、を備え、前記試料ステージ及び前記試料移送装置は、一体となって所定の方向への直線動及び回転動すると共に、前記試料ステージは、前記所定の方向以外の方向に前記試料を直線移動及び回転動する試料設置装置であって、
前記試料移送装置及び前記試料ステージは、一体となって水平面内の直交する２軸のうちの一方の軸に沿う移動及び前記水平面内の他方の軸を中心とする傾斜動を行うと共に、
前記試料ステージは、前記試料を垂直軸に沿う移動、水平面内の他方の軸に沿う方向の移動及び垂直軸を中心とする回転動をさせるものであり、
前記試料移送装置は、前記試料を載置して前記試料を水平方向に沿って前記試料室内の試料授受位置まで搬送する試料挿入機構を備え、
前記試料ステージは、前記試料授受位置まで直線移動し、その後、垂直移動して前記試料挿入機構によって搬送された前記試料を受け取り、その後、直線移動して前記試料を前記試料室の観察位置まで搬送する、ことを特徴とする試料設置装置。
【請求項２】
前記試料移送装置は、
前記試料室の開口に連通する試料挿入穴部及び前記試料室と間のシールを行うシール部を備え壁面に沿って水平方向に移動可能な水平移動部材と、
前記水平移動部材の穴部に連通する試料挿入穴部及び前記水平移動部材との間のシールを行うシール部を備え前記水平移動部材の面に沿って回動可能な傾斜移動部材と、
を備えることを特徴とする請求項１に記載の試料設置装置。
【請求項３】
前記試料挿入機構は、前記傾斜移動部材の試料挿入穴を密閉する蓋部材を備えることを特徴とする請求項２に記載の試料設置装置。
【請求項４】
前記試料ステージは、試料移動用の電動機を備え、前記水平移動部材及び前記傾斜移動部材は、各部材駆動用の電動機を備えることを特徴とする請求項２に記載の試料設置装置。
【請求項５】
前記試料挿入機構は、手動で駆動されることを特徴とする請求項１に記載の試料設置装置。
【請求項６】
請求項１から請求項５のいずれかに記載の試料設置装置と、前記試料に前記荷電粒子ビームを照射する荷電粒子ビーム照射手段と、前記荷電粒子ビームが照射された前記試料からの２次荷電粒子に基づいて信号を取得する検出器と、を備えることを特徴とする荷電粒子ビーム装置。
【発明の詳細な説明】
【技術分野】
【０００１】
本発明は試料設置装置及び荷電粒子ビーム装置に係り、特に試料室内に配置され、荷電粒子ビームの照射対象となる試料が載置される試料ステージと、前記試料室に取り付けられ、前記試料室の壁面に形成されたポートから前記試料ステージに向け試料室外部から試料を差し入れる試料移送装置と、を備えた試料設置装置及びこの試料設置装置を備えた荷電粒子ビーム装置に関する。
【背景技術】
【０００２】
荷電粒子ビーム装置として５軸の自由度を持つ試料ステージを備える走査電子顕微鏡がある（特許文献１参照）。図１３は走査電子顕微鏡の試料の搬入動作及び試料の移動自由度を示す模式図である。このような走査電子顕微鏡２００において、試料室２１０内には、同図（ａ）に示すように、試料２２０を保持する試料ステージ２３０が配置されている。試料ステージ２３０は、同図（ｂ）に示すように、試料２２０を水平面に直交する２方向（Ｘ，Ｙ）、上下方向（Ｚ）、平面回転（Ｒ）、傾斜（Ｔ）の５自由度で移動することができる機構を備える。このような試料ステージを備える走査電子線装置によれば、試料を任意の姿勢及び位置で観察することができる。なお、図１２（ａ）中符号２４０は鏡筒を示している。
【０００３】
そして、このような走査電子顕微鏡２００において、試料ステージ２３０に保持される試料２２０を交換するに際しては、さまざまな手法がある。その一つは試料室２１０に開閉扉を配置して試料ステージ２３０を引き出して保持された試料を交換するものである。しかし、この方法は、確実であるが、試料ステージ２３０全体を試料室２１０から引き出して試料室２１０を装着するため、時間を要するという欠点がある。また、試料室２１０内を手で触れることが可能になるため、検出器などの繊細な部品を壊してしまう危険性がある。
【０００４】
このような問題に対処するため、走査電子顕微鏡２００に試料搬送装置を配置して、試料室２１０外に配置した搬送ユニットで試料を搬送するものが提案されている（特許文献２参照）。
【先行技術文献】
【特許文献】
【０００５】
【特許文献１】特開２００２−３１９３６４号公報
【特許文献２】特開２００２−３１３２７１号公報
【発明の概要】
【発明が解決しようとする課題】
【０００６】
しかしながら、上述した試料室外側から試料を搬送するものにあっては、複数の自由度を有する試料ステージに試料を搬送するために駆動軸全てを搬送位置に合わせて位置を決めないと試料の受け渡しができないため、試料の交換に時間がかかるという問題がある。即ち、試料の交換に際しては、まず試料ステージのＸ、Ｙ、Ｚ、Ｔ、Ｒの５軸全ての位置を搬送受け渡し位置まで移動し、次いで搬送ユニットからステージ上の試料ホルダー部に試料を搬送し、そして受け渡し後、搬送機構部を元の搬送ユニットの位置まで戻す、という操作が必要となる。このため、試料の交換に複雑な手順を要し、時間がかかってしまうという問題がある。
【０００７】
そこで本発明は、複数の自由度を備える試料ステージにおける試料の交換を簡単な手順で迅速に行える試料設置装置、及び荷電粒子ビーム装置を提供することを目的とする。
【課題を解決するための手段】
【０００８】
前記課題を解決する請求項１の発明は、試料室の内部に配置され、荷電粒子ビームの照射対象となる試料が載置される試料ステージと、前記試料室に取り付けられ、前記試料室の壁面に形成された開口部から前記試料ステージに向け試料室外部から前記試料を移送する試料移送装置と、を備え、前記試料ステージ及び前記試料移送装置は、一体となって所定の方向への直線動及び回転動すると共に、前記試料ステージは、前記所定の方向以外の方向に前記試料を直線移動及び回転動する試料設置装置であって、前記試料移送装置及び前記試料ステージは、一体となって水平面内の直交する２軸のうちの一方の軸に沿う移動及び前記水平面内の他方の軸を中心とする傾斜動を行うと共に、前記試料ステージは、前記試料を垂直軸に沿う移動、水平面内の他方の軸に沿う方向の移動及び垂直軸を中心とする回転動をさせるものであり、前記試料移送装置は、前記試料を載置して前記試料を水平方向に沿って前記試料室内の試料授受位置まで搬送する試料挿入機構を備え、前記試料ステージは、前記試料授受位置まで直線移動し、その後、垂直移動して前記試料挿入機構によって搬送された前記試料を受け取り、その後、直線移動して前記試料を前記試料室の観察位置まで搬送する、ことを特徴とする試料設置装置である。
【０００９】
同じく請求項２の発明は、請求項１に記載の試料設置装置において、前記試料移送装置は、前記試料室の開口に連通する試料挿入穴部及び前記試料室と間のシールを行うシール部を備え壁面に沿って水平方向に移動可能な水平移動部材と、前記水平移動部材の穴部に連通する試料挿入穴部及び前記水平移動部材との間のシールを行うシール部を備え前記水平移動部材の面に沿って回動可能な傾斜移動部材と、を備えることを特徴とする。
【００１０】
同じく請求項３の発明は、請求項２に記載の試料設置装置において、前記試料挿入機構は、前記傾斜移動部材の試料挿入穴を密閉する蓋部材を備えることを特徴とする。
【００１１】
同じく請求項４の発明は、請求項２に記載の試料設置装置において、前記試料ステージは、試料移動用の電動機を備え、前記水平移動部材及び前記傾斜移動部材は、各部材駆動用の電動機を備えることを特徴とする。
【００１２】
同じく請求項５の発明は、請求項１に記載の試料設置装置において、前記試料挿入機構は、手動で駆動されることを特徴とする
【００１３】
同じく請求項６の発明は、請求項１から請求項５のいずれかに記載の試料設置装置と、前記試料に前記荷電粒子ビームを照射する荷電粒子ビーム照射手段と、前記荷電粒子ビームが照射された前記試料からの２次荷電粒子に基づいて信号を取得する検出器と、を備えることを特徴とする荷電粒子ビーム装置である。
【発明の効果】
【００１７】
本発明に係る試料設置装置、及び荷電粒子ビーム装置によれば、試料ステージ及び試料移送装置は、一体となって所定の方向への直線動及び回転動すると共に、試料ステージは、所定の以外の方向に前記試料を直線移動及び回転動させるので、試料の設置、交換に際して位置合わせが容易となり試料の観察効率を向上させることができるほか、試料室のポートの数を削減できると共に位置合わせに必要な移動機構を省略できるので、試料設置装置及び荷電粒子ビーム装置の構成を全体として簡略で安価なものとすることができる。
【図面の簡単な説明】
【００１８】
【図１】実施例１に係る走査電子顕微鏡の基本構成を示す模式図である。
【図２】同じく走査顕微鏡の試料設置装置を示すものであり、（ａ）は縦断面を示す模式図、（ｂ）は水平断面を示す模式図、（ｃ）は正面を示す模式図である。
【図３】同じく試料の試料移送装置と試料ステージとの間の試料の授受状態を示す模式図である。
【図４】同じく走査顕微鏡の試料室の構成を示す斜視透視図である。
【図５】同じく走査顕微鏡の試料設置装置の構成を示す斜視図である。
【図６】同じく試料設置装置の構成を示す図４中Ａ−Ａ線に相当する断面図である。
【図７】同じく試料設置装置の構成を示す図５中Ｂ−Ｂ線に相当する断面図である。
【図８】同じく試料設置装置の構成示す一部切欠斜視図である。
【図９】同じく試料設置装置の試料搬送動作を示す斜視図である。
【図１０】同じく試料設置装置の試料搬送動作を示す斜視図である。
【図１１】同じく試料設置装置の試料搬送動作を示す斜視図である。
【図１２】同じく試料設置装置の試料搬送動作を示す斜視図である。
【図１３】走査電子顕微鏡の試料の搬入動作及び試料の自由度を示す模式図である。
【発明を実施するための形態】
【００１９】
以下本発明を実施するための形態例に係る荷電粒子ビーム装置としての走査電子顕微鏡を図面に基づいて説明する。以下、実施の形態として走査電子顕微鏡を例として説明するが、本発明は、電子線マイクロアナライザ（ＥＰＭＡ）、集束イオンビーム装置（ＦＩＢ）、あるいは電子線薄膜トランジスタ（ＴＦＴ）アレイ検査装置等の荷電粒子ビーム装置に適用できる。
【００２０】
図１は実施の形態例に係る走査電子顕微鏡の概略構成を示す模式図である。この走査電子顕微鏡１０は、光学顕微鏡３０を同一の筐体に備え、試料における観察領域のＳＥＭ像データと光学像データとを取得して表示するものである。まず走査電子顕微鏡１０の基本的構成について説明する。
【００２１】
走査電子顕微鏡１０は、鏡筒１１内上部の電子線源１２から発生した電子線１３を、コンデンサレンズ１４で収束し、偏向コイル１５で偏向して、対物レンズ１６で収束及びフォーカスを調整し、試料室１７内の試料ホルダー１８上の試料を走査する。試料ホルダー１８は、３軸の自由度を持つ試料ステージ４０に配置されている。この試料ステージ４０は、モーター、ねじ機構など公知の駆動機構を備え、試料ホルダー１８を試料設置平面の１方向（左右方向：Ｘ）、上下方向（Ｚ）及び水平回転（Ｒ）の３自由度で移動ができる。この試料ステージ４０は、下段からＸ方向移動機構４１、Ｚ方向移動機構４２、水平回転機構４３が配置される。走査電子顕微鏡１０では、試料ホルダー１８を上記Ｘ、Ｚ、Ｒ方向への移動のほか、前記Ｘ方向と直交する方向（前後方向ー：Ｙ）、傾斜方向（Ｔ）に移動ができる。実施例１では、前記２軸（Ｙ、Ｔ）の移動は、試料ステージ４０を後述する試料移送装置８０と共に移動することにより行う。
【００２２】
このような走査電子顕微鏡１０では、試料ホルダー１８から発生した２次電子、反射電子などの荷電粒子１９は、２次電子検出器２０で検出され、図示していないＳＥＭ画像表示制御手段で電子線１３の走査状態と同期処理されてＳＥＭ像データが得られ、ＳＥＭ像が図示しない画像表示装置に表示される。
【００２３】
光学顕微鏡３０は、光学鏡筒内に光学系を備えるほか、試料ホルダー１８を照明する光源、ＣＣＤ撮像素子、ＣＭＯＳ素子等の電子撮像素子を内蔵し光学像データを出力する。そして、試料ホルダー１８上の試料の観察領域の拡大された光学像が図示しない画像表示装置に表示される。ここで、光学顕微鏡３０の光軸は電子線ビーム光軸と試料ホルダー１８の観察領域で交差するよう所定の角度で傾けて配置されている。なお、光学顕微鏡３０は、走査電子顕微鏡の光軸と一致するように配置してもよい。本実施の形態例では、互いの観察条件に悪影響を与えることがない。例えば電子線を通過させるため光学顕微鏡の光学系に貫通孔を形成すると、光学顕微鏡の光学像が部分的に暗くなるなどの悪影響が発生するが、本実施の形態例ではそのような影響を排除することができる。
【００２４】
ここで、走査電子顕微鏡１０と光学顕微鏡３０の撮像倍率は、撮像の目的に応じて適宜変更できる。走査電子顕微鏡１０では、試料ホルダー１８を任意の角度に傾斜させて観察することができ、試料表面が光学顕微鏡３０の光軸に対して直交する方向に傾斜させると光学顕微鏡３０で良好な光学像を取得できる。なお、図１では、光学顕微鏡３０は試料ホルダー１８の傾斜方向に対応して描かれていないが、実際には光学顕微鏡３０の光軸は、電子線ビーム光軸を含み図１の紙面に直交する面内に配置される。
【００２５】
次に試料設置装置について説明する。図２は実施例１に係る走査顕微鏡の試料設置装置を示すものであり、（ａ）は縦断面を示す模式図、（ｂ）は水平断面を示す模式図、（ｃ）は正面を示す模式図、図３は同じく試料の試料移送装置と試料ステージとの間の試料の授受状態を示す模式図である。
【００２６】
まず、図２を参照して試料設置装置１００の基本的構成について説明する。試料設置装置１００は、試料ステージ４０と試料移送装置８０とから構成される。試料移送装置８０は、試料室１７の試料交換用のポート２１の配置部に水平移動部材である板状部材５１をＹ方向に移動可能にする水平移動機構５０と、この板状部材５１の外側に配置される傾斜移動部材である板状部材６１をＹ軸を中心とする回転運動、即ち試料の傾斜（Ｔ）駆動する傾斜移動機構６０と、板状部材６１の外側に配置され、試料ホルダー１８の挿入を行う試料挿入機構７０とを備えて構成される。
【００２７】
水平移動機構５０の板状部材５１は、試料交換用のポート２１に連通する開口５５が開設され、モーターを駆動源とする公知の駆動機構で試料室１７との密閉状態を保ちつつＹ方向に駆動される。
【００２８】
また、傾斜移動機構６０の板状部材６１は、試料交換用のポート２１及び開口５５に連通する開口６５が開設され、モーターを駆動源とする公知の駆動機構で板状部材５１との密閉状態を保ちつつ、試料ホルダー１８を傾斜するよう回転駆動される。なお、傾斜移動機構６０は、水平移動機構５０と共にＹ方向に移動する
【００２９】
さらに、傾斜移動機構６０は、試料ステージ４０を支持する支持部材４５を備え、この支持部材４５は、開口５５、６５、試料交換用のポート２１を連通して試料室１７内に水平方向に張り出して試料ステージ４０を支持している。このため、試料ステージ４０は、水平移動機構５０の直線移動と共に移動して試料ホルダー１８をＹ方向に移動させると共に、傾斜移動機構６０の回動と共に回転して試料ホルダー１８を傾斜させる。また、試料ステージ４０は、上述のように、Ｘ方向移動機構４１、Ｚ方向移動機構４２、水平回転機構４３を備え、これらはモーターを駆動源とするねじ機構等の公知の駆動機構を備え試料を水平、垂直移動、水平回転させる。なお、上記各機構を駆動するモーターは、コンピュータで実現された走査電子顕微鏡の制御装置で駆動制御される。
【００３０】
それ故、実施例１に係る走査電子顕微鏡１０では、試料ステージ４０及び試料移送装置８０を駆動して、試料ホルダー１８をＸ、Ｙ、Ｚ、Ｒ、Ｔの５つの自由度で駆動することができる。なお、試料ステージ４０のＸ方向移動機構４１は、試料ステージ４０を支持部材４５に沿ってＸ方向に駆動し、試料ステージ４０を電子顕微鏡での観察位置から試料授受位置まで移動することができる。
【００３１】
試料挿入機構７０は、傾斜移動機構６０の板状部材６１に開設された開口６５を閉塞する蓋部材７１と、試料ホルダー１８を挿入する挿入部材７２とを備える。この実施例では、蓋部材７１は、手動で水平移動され、試料ホルダー１８を試料室１７の外部から試料室１７の試料授受位置まで移動される。なお、挿入部材７２には試料ホルダー１８を載置するための切欠部７２ａが形成されている。また、蓋部材７１を傾斜移動機構６０に設置した状態で、蓋部材７１と傾斜移動機構６０の板状部材６１とは密閉状態となり、その結果試料室１７は密閉状態となる。
【００３２】
次に、図３を参照して試料交換動作の概要について説明する。試料を試料室に搬入する場合には、試料室１７を大気圧にした後、試料挿入機構７０の挿入部材７２を試料室１７から引き出して、切欠部７２ａに試料ホルダー１８を配置する。
【００３３】
次に、試料ステージ４０をＸ方向移動機構４１で図中（ａ）の位置に移動させる。このとき、Ｚ方向移動機構４２によって試料ステージ４０が挿入部材７２に接触しない高さに設定する。そして、挿入部材７２を試料室１７内に挿入し試料授受位置に配置する。この状態で、蓋部材７１が試料室１７を密封とするので、試料室１７内を観察に必要な真空状態にすることができる。
【００３４】
さらに、試料授受位置においてＺ方向移動機構４２を駆動して試料ホルダー１８を下方から持ち上げ、試料ステージ４０上に配置し、この状態で、水平方向に観察位置まで移動させ（同（ｂ））、所定の高さに配置する（同（ｃ））。試料を試料室から搬出する場合は前記手順と逆の手順をとる。
【００３５】
このように、走査電子顕微鏡１０では、試料ステージ４０と試料移送装置８０とがＹ方向及び傾斜方向（Ｔ）に一体となって移動するため、試料の設置、交換に際して試料ステージ４０をＹ、Ｔの２方向について位置調整をする必要がない。また、水平回転（Ｒ）については、試料設置後から自由に設定できる。このため、試料交換時における試料ステージ４０の位置制御はＸ方向及びＺ方向の２方向についてだけでよく、制御が簡単になり、試料の交換を迅速かつ安全に行うことができる。
【００３６】
さらに実施例１に係る走査電子顕微鏡の試料設置装置の細部について説明する。図４は実施例１に係る走査顕微鏡の試料設置装置の構成を示す斜視透視図、図５は同じく試料設置装置の構成を示す斜視図、図６は同じく試料設置装置の構成を示す図４中Ａ−Ａ線に相当する断面図、図７は同じく試料設置装置の構成を示す図５中Ｂ−Ｂ線に相当する断面図、図８は同じく試料設置装置の構成示す一部切欠斜視図である。
【００３７】
試料ステージ４０は、Ｘ方向駆動用モーター４６、Ｚ方向駆動用モーター４７、水平回転駆動モーター４８を備えている。また、試料ステージ４０は、Ｘ方向駆動用モーター４６の駆動により、支持部材４５に沿って配置された案内レール４９に沿って移動し、試料観察時におけるＸ方向の位置調整ができるほか、試料を観察位置と試料授受位置との間を移動できる。
【００３８】
試料移送装置８０の水平移動機構５０は、Ｙ方向駆動用モーター５２とねじ機構とを備え、板状部材５１を水平方向に移動させる。板状部材５１と試料室１７との間には、Ｏリングからなるシール部材５３が配置されシール部が形成されている。
【００３９】
試料移送装置８０の傾斜移動機構６０は、Ｔ方向駆動用モーター６２と、ねじ機構とを備え、板状部材６１を、開口６５を貫通するＹ軸を中心として回転駆動させる。板状部材６１と水平移動機構５０の板状部材５１との間には、Ｏリングからなるシール部材６３が配置されシール部が形成されている。さらに、板状部材６１には、蓋部材７１との間のシール部をなすＯリングからなるシール部材６４が配置されている。
【００４０】
試料挿入機構７０の蓋部材７１は、２段スライド式の案内シャフト７３，７４で板状部材６１に保持されており、オペレーターが手動で移動させることができる。試料室１７から挿入部材７２を引き出したとき、切欠部７２ａが試料室の外部に配置できるようにして、試料ホルダー１８の切欠部７２ａへの取り付けを容易にしている。また、蓋部材７１には引き出し押し込み操作用のハンドル７５が取り付けられている。
【００４１】
次に、試料室１７への試料ホルダー１８の搬入について説明する。図９から図１２は実施例１に係る試料設置装置の試料搬送動作を示す斜視図である。まず、図９に示すように、ハンドル７５を引き、試料挿入機構７０の挿入部材７２を試料室１７から引き出し、切欠部７２ａに試料を載置した試料ホルダー１８を配置する。
【００４２】
次いで、図１０に示すように、Ｚ方向駆動用モーター４７を駆動して、試料ステージ４０の高さ位置を下げ、Ｘ方向駆動用モーター４６を駆動して、試料ステージ４０を案内レール４９に沿って移動させ、試料授受位置に移動させる。さらに、図１１に示すように、蓋部材７１を試料室１７側に移動して試料室１７を密閉する。これにより、挿入部材７２が試料室１７に挿入され、切欠部７２ａに配置された試料ホルダー１８が試料授受位置に配置される。この状態で、Ｚ方向駆動用モーター４７を駆動して、試料ステージ４０を上昇させて試料ステージ４０で試料ホルダー１８を保持する。なお、試料室１７は密閉された状態となるので、試料室を観察に必要な真空状態にすることができる。
【００４３】
そして、図１２に示すように、再びＸ方向駆動用モーター４６を駆動して、試料ステージ４０を移動させて試料ホルダー１８を観察位置に移動させる。以上により試料ホルダー１８を観察位置に配置でき、観察を行うことができる。なお、試料の搬出は前記搬入の手順と逆の手順で操作を行う。
【００４４】
以上のように、本発明に係る走査電子顕微鏡１０によれば、試料の設置、交換に際しての位置合わせが容易となり試料の観察効率を向上させることができるほか、試料室のポートの数を削減できると共に位置合わせに必要な移動機構を省略できるので、試料設置装置及び荷電粒子ビーム装置の構成を全体として簡略で安価なものとすることができる。
【００４５】
なお、前記実施例では、試料ステージ４０と試料移送装置８０とは、一体となってＹ方向の移動及び傾斜回転（Ｔ）させたが、試料ステージ４０は、Ｙ方向または傾斜回転（Ｔ）の一方についてのみ連動するようにしてもよい。この場合試料移送装置の構成を簡単にできる。また、前記実施例では、試料挿入機構７０の操作を手動で行うようにしたが、これはモーター等を駆動源として自動的に行うことができる。また、上記実施例では、試料の交換のたびに試料室を大気圧にしたが、二重扉を備えるエアロック装置を配置して、試料室１７の真空状態を保ちつつ試料を搬入、交換することができる。
【符号の説明】
【００４６】
１０  走査電子顕微鏡
１１  鏡筒
１２  電子線源
１３  電子線
１４  コンデンサレンズ
１５  偏向コイル
１６  対物レンズ
１７  試料室
１８  試料ホルダー
１９  荷電粒子
２０  ２次電子検出器
２１  ポート
３０  光学顕微鏡
４０  試料ステージ
４１  Ｘ方向移動機構
４２  Ｚ方向移動機構
４３  水平回転機構
４５  支持部材
４６  Ｘ方向駆動用モーター
４７  Ｚ方向駆動用モーター
４８  水平回転駆動モーター
４９  案内レール
５０  水平移動機構
５１  板状部材（水平移動部材）
５２  Ｙ方向駆動用モーター
５３  シール部材
５５  開口
６０  傾斜移動機構
６１  板状部材（傾斜移動部材）
６２  Ｔ方向駆動用モーター
６３  シール部材
６４  シール部材
６５  開口
７０  試料挿入機構
７１  蓋部材
７２  挿入部材
７２ａ  切欠部
７３，７４  案内シャフト
７５  ハンドル
８０  試料移送装置
１００  試料設置装置
【図１】
0005726575.tif 000002
【図２】
0005726575.tif 000003
【図３】
0005726575.tif 000004
【図４】
0005726575.tif 000005
【図５】
0005726575.tif 000006
【図６】
0005726575.tif 000007
【図７】
0005726575.tif 000008
【図８】
0005726575.tif 000009
【図９】
0005726575.tif 000010
【図１０】
0005726575.tif 000011
【図１１】
0005726575.tif 000012
【図１２】
0005726575.tif 000013
【図１３】
0005726575.tif 000014